(57)【要約】【課題】ターボジェットエンジンのコンプレッサの改善されたレドレッサー調整装置を提案すること【解決手段】装置は、軸回転流束の１台または数台のレドレッサーＲの調整のためのものであり、それらレドレッサーを、制御手段によって供給される角度位置データに応じて角度的に調整できるように、回転軸３を回転駆動させるための駆動手段４〜６を有する。これらの制御手段は、第一に、照明ゾーン１１のレベルに光を供給する照明手段８、１０を、第二に、照明ゾーン１１内でレドレッサーＲの軸３に連動し、レドレッサーの角度位置を表す光信号を生成させるために照明光と相互作用させるように構成されたエンコーダエレメント１２を、第三に、光信号を収集する手段１３ａを、第四に、収集された光信号から角度位置データを決定する処理手段７を有する。【選択図】      図２
2005054794.tif 000002
【特許請求の範囲】
【請求項１】
制御手段（７〜２６）によって提供される位置データに応じてレドレッサーの軸を角度的に調整するように、少なくとも１本のレドレッサーの軸を回転駆動するのに適した駆動手段（４〜６）を有する、ターボジェットエンジンのコンプレッサ（ＣＨＰ）用の軸回転流束のレドレッサーの調整装置であって、前記制御手段は、照明ゾーン（１１）のレベルに光を供給するのに適した照明手段（８、１０）と、前記照明ゾーン内で前記レドレッサーの軸（３）に連結され、前記レドレッサー（Ｒ）の角度位置を表す光信号を生成するために前記光と相互作用するように構成されたエンコーダエレメント（１２）と、前記光信号の収集手段（１３）と、収集された前記光信号から角度位置データを決定するように構成された処理手段（７）とを有することを特徴とする装置。
【請求項２】
前記エンコーダエレメント（１２）が、前記照明ゾーン（１１）におけるその位置に応じて変化可能な光信号の生成を可能にするように配置された少なくとも１つのレンジ（１５）を備えたエンコーダホイールの少なくとも一部分の形に構成されることを特徴とする請求項１に記載の装置。
【請求項３】
前記照明手段（８、１０）が、前記照明ゾーン（１１）の選択された寸法の表面を照らすことができるように適合された先端を備える少なくとも１本の光ファイバ（１０）を有することを特徴とする請求項１または２に記載の装置。
【請求項４】
前記レンジ（１５）が、前記エンコーダエレメント（１２）の角度位置に応じて異なる方式で前記光を透過することができるように適合された少なくとも１つのスリット（１７、１８）を有することを特徴とする請求項２または３に記載の装置。
【請求項５】
前記スリット（１７）が段階的開放型であることを特徴とする請求項４に記載の装置。
【請求項６】
前記レンジ（１５）が、異なる形状を有し、かつ／または、互いに可変ピッチ分の間隔をあけた、多数のスリット（１８）を有することを特徴とする請求項４に記載の装置。
【請求項７】
前記レンジ（１５）が透明で、マーキング（２１）を備えた少なくとも１つのゾーンを有することを特徴とする請求項２または３に記載の装置。
【請求項８】
前記照明光と前記エンコーダエレメント（１２）との間に置かれた透明のスキャニングレチクル（２５）を有し、前記収集手段（１３）が、前記照明ゾーン（１１）の反対側で、前記レンジ（１５）の正面に取り付けられ、照明光と前記スキャニングレチクル（２５）と前記マーキング（２１）との間の相互作用の結果生じる光信号を表す、電気信号を印加するのに適した光検出器（１３ｂ）を有することを特徴とする請求項７に記載の装置。
【請求項９】
前記収集手段（１３）が、前記照明ゾーン（１１）の反対側で、前記レンジ（１５）の向かい側に取り付けられ、前記レンジのレベルで透過された光信号を表す電気信号を印加するのに適した光検出器（１３ｂ）を有することを特徴とする請求項４から７のいずれか一項に記載の装置。
【請求項１０】
前記収集手段（１３）が、前記レンジ（１５）のレベルで透過された前記光信号を収集するように適合された先端を備える、少なくとも１本の光ファイバ（１３ａ）を有することを特徴とする請求項４から７のいずれか一項に記載の装置。
【請求項１１】
前記レンジ（１５）が、前記エンコーダエレメント（１２）の角度位置に応じて異なる方式で前記光を反射させるように適合された少なくとも１つの反射エレメント（１６）を有することを特徴とする請求項２または３に記載の装置。
【請求項１２】
前記照明光と前記エンコーダエレメント（１２）との間に置かれ、透明相の網目を画定する透明なスキャニングレチクルを有し、前記反射エレメントがマーキングを有し、前記収集手段（１３）が、前記スキャニングレチクルの上流に取り付けられ、照明光と前記スキャニングレチクルと前記マーキングとの間の相互作用の結果生じる光信号を表す電気信号を印加するのに適した光検出器を有することを特徴とする請求項１１に記載の装置。
【請求項１３】
前記収集手段（１３）が、前記レンジ（１５）のレベルで反射された前記光信号を収集できるように適合された先端を備えた少なくとも１本の光ファイバ（１３ａ）を有することを特徴とする請求項１１に記載の装置。
【請求項１４】
前記エンコーダエレメント（１２）の少なくとも一部と前記照明手段（１０）の一部と前記収集手段（１３ａ、１３ｂ）の少なくとも一部が、光を遮断されたシールド（１４）内に収納されることを特徴とする請求項１から１３のいずれか一項に記載の装置。
【請求項１５】
前記処理手段（７）が、前記レドレッサー（Ｒ）の遠隔ボックス（９）内に収納されることを特徴とする請求項１から１４のいずれか一項に記載の装置。
【請求項１６】
前記駆動手段（４〜６）が、複数のレドレッサー（Ｒ）に多数のリンクロッド（４）によって結合された羽根輪（５）と、前記処理手段（７）によって決定された角度位置の前記データに応じて選択された角度位置において前記複数のレドレッサー（Ｒ）を調整するように、前記羽根輪（５）を作動させるのに適したジャッキ（６）とを有することを特徴とする請求項１から１５のいずれか一項に記載の装置。
【発明の詳細な説明】
【技術分野】
【０００１】
本発明は、ターボジェットエンジンのコンプレッサの分野、とりわけ、それらコンプレッサの軸回転流束用レドレッサー（ｒｅｄｒｅｓｓｅｕｒ）の調整の分野に関するものである。
【背景技術】
【０００２】
当業者に知られているように、アキシャル（ａｘｉａｌ）・ターボジェットエンジンでは、気体は、数段を有するコンプレッサによって燃焼前に圧縮される。各段は、軸方向流束を加速するための回転運動可能な羽根車と、圧力を上昇させるための固定された羽根輪とで構成される。コンプレッサの作動を最適化し適応させるために、固定羽根（レドレッサー）については、エンジンのレギュレーションによって管理が行われる航空力学的翼断面の限定された「調整」または配向容量があらかじめ定められる。
【０００３】
レドレッサーの調整は、一般に、レドレッサーの回転軸（「羽根の尾の軸」とも呼ばれる）に結合された駆動機構を有する調整装置を用いて行われる。より厳密には、調整装置は、レドレッサーのいずれか一台の角度位置を決定し、駆動機構に対して、角度位置データで構成された命令を与える制御手段を有し、その結果、調整装置は、選択された角度位置に当該のレドレッサーを置くことになる。
【０００４】
したがって、誘導が最適となるように、角度位置の決定は厳密なものとなることが必要不可欠である。ところで、レドレッサーの近傍に高温が存在することによって、角度位置の測定が軸外れで、好ましくは制御ジャッキの近くで行われる。したがって、この測定は、強い振動、熱膨張、さらに機械的連結部の遊びによって妨害される。
【発明の開示】
【発明が解決しようとする課題】
【０００５】
したがって、本発明は、上述の不都合を全面的または部分的に解消することを目的とする。
【課題を解決するための手段】
【０００６】
そのため、本発明は、制御手段によって供給された位置データに応じてそれらを角度的に調整することができるように、回転軸を回転駆動させるための駆動手段を有する１台または数台の軸回転流束レドレッサーの調整のための装置を提案する。
【０００７】
この装置は、第一に、照明ゾーンのレベル（ｎｉｖｅａｕ）に光を供給するための照明手段を、第二に、レドレッサーの角度位置を表す光信号を生成するために照明の光と相互作用するように構成され、照明ゾーン内でレドレッサーの軸に連結されたエンコーダエレメントを、第三に、光信号を収集するための手段を、第四に、収集された光信号から角度位置データを決定するための処理手段を有する、制御手段を含むことを特徴とする。
【０００８】
光検出手段を使用することによって、角度位置測定は、直接にレドレッサーの軸上で行われる。測定は、動的遊び、熱膨張、振動によってもはや狂わされることがないので、その精度は著しく改善される。
【０００９】
好ましくは、エンコーダエレメントは、照明ゾーンにおいてその位置に応じて変化可能な光信号の発生を可能にするように配置された少なくとも１つのレンジ（ｐｌａｇｅ）を備えたエンコーダホイール（の一部分）の形をとる。
【００１０】
さらに、照明手段は、好ましくは、照明ゾーンの選択された寸法を有する面積を照らすように、（場合によっては光学的整形手段に組み合わされた）適合した先端を備えた少なくとも１本の光ファイバを有する。
【００１１】
本発明は、光信号が透過によって得られるのか、それとも反射によって得られるのかに応じて２つの実施形態に従って変えることができる。
【００１２】
第一の実施形態（透過に関する）は少なくとも２つの分岐形態（ｂｒａｎｃｈｅ）を含む。
【００１３】
第一の分岐形態は、エンコーダエレメントの角度位置に応じて異なる方式で光を透過するように適合された少なくとも１つのスリットを備えたレンジを有するエンコーダエレメントに関するものである。たとえば、１つの段階的開放型（ｏｕｖｅｒｔｕｒｅ  ｐｒｏｇｒｅｓｓｉｖｅ）スリット、あるいはまた、互いに可変ピッチ分の間隔をあけた、かつ／または、異なる形状を有する多数のスリットのみを備えることができる。
【００１４】
第二の分岐形態は、少なくとも１つのマーキング部分を備えたゾーンを有する透明レンジを備えたエンコーダエレメントに関するものである。その場合、たとえば、照明光とエンコーダエレメントとの間に置かれた透明スキャニングレチクルや、照明ゾーンの反対側で、レンジに向かい合って取り付けられ、照明光とスキャニングレチクルとマーキング部分との間の相互作用の結果生じる光信号を表す電気信号を印加する、光検出器を有する収集手段を有することができる。
【００１５】
変形形態として、これら２つの分岐形態において、収集手段は、照明ゾーンの反対側で、レンジと向き合って取り付けられ、レンジのレベルで透過された光信号を表す電気信号を印加する光検出器を有することができる。他の変形形態においては、収集手段は、レンジのレベルで透過された光信号を収集するように適合された（場合によっては、光学的整形手段に組み合わされた）先端を備えた、１本または数本の光ファイバを有することができる。
【００１６】
第二の実施形態においては、エンコーダエレメントのレンジは、エンコーダエレメントの角度位置に応じて異なる方式で光を反射させるように適合された少なくとも１つの反射エレメントを有する。
【００１７】
その場合、たとえば、第一に、照明光とエンコーダエレメントとの間に置かれ、透明相の網目を画定する透明スキャニングレチクルを、第二に、マーキング部分を有する反射エレメントを、第三に、スキャニングレチクルの上流に置かれ、照明光とスキャニングレチクルとマーキング部分との間の相互作用の結果生じる光信号を表す電気信号を印加する光検出器を備える収集手段を有することができる。
【００１８】
変形形態においては、収集手段は、レンジのレベルで反射する光信号を収集することができるように適合された先端を備えた少なくとも１本の光ファイバを有することができる。
【００１９】
本発明の他の特徴によれば、測定が漏光によって妨害されないように、エンコーダエレメントの少なくとも一部と、照明手段の一部と、収集手段の少なくとも一部は、光を遮断されたシールド中に収納される。
【００２０】
さらに、処理手段は、優先的に、過度な温度の影響を受けることがないように、レドレッサーから離れたボックス中に収納される。
【００２１】
添付の図面および、以下の詳細な説明を参照することで本発明の他の特徴及び利点が明らかになる。
【発明を実施するための最良の形態】
【００２２】
添付図は、本発明を補足するだけでなく、場合によってはその定義に役立つものである。
【００２３】
本発明は、ターボジェットエンジンのコンプレッサの軸回転流束のレドレッサーの調整装置に関するものである。
【００２４】
まず、図１を参照して、本発明の調整装置の設置場所を明示する。
【００２５】
アキシャル・ターボジェットエンジンにおいて、数段を有するコンプレッサ、たとえば図１に示されているような高圧コンプレッサＣＨＰは、気体を燃焼室ＣＣ内で燃焼前に圧縮させるという機能を有する。各段は、軸方向流束を加速させるために回転移動することができる羽根車すなわち羽根Ａを担持する車と、圧力上昇を引き起こすための流束レドレッサーＲと呼ばれる固定羽根輪とで構成される。
【００２６】
可動羽根車の羽根Ａと流束レドレッサーＲの固定羽根は、カバー２によって画定されたチャンバ１内に収納される。これらレドレッサーＲは、部分的に示されている調整装置によって流束誘導を最適化する位置において調整（または配向）できるよう、コンプレッサＣＨＰのカバー２の上で回転するように取り付けられる。より正確には、図には表されていないが、通常、複数のレドレッサーＲが、羽根Ａの二つの段の間に取り付けられ、それらの角度位置が、同一調整装置によって管理される。
【００２７】
図２により明確に示されているように、各レドレッサーＲは回転軸３を備え、その軸に、駆動輪５に結びつけるリンクロッド４をしっかりと連結させる。各輪５はそれ自体が、可変ストロークのジャッキ６に結合される。さらに、羽根Ａの二つの段の間に置かれたあらゆるレドレッサーＲが同じ羽根輪に結合される。このようにして、それらは、いわば段を構成する。したがって、関連ジャッキ６を用いての、羽輪輪５の移動は、一段のレドレッサーＲアセンブリの角度的移動を引き起こす。
【００２８】
ジャッキ６のストロークの値、したがって、一段のレドレッサーＲの調整角度位置は、絶えず、以下に述べるように、一段のレドレッサーＲの少なくともいずれか一台の上の検出装置によって実施された角度位置測定と、ターボジェットエンジンの必要とされる性能とに応じた処理モジュール７によって決定される。
【００２９】
同一段のレドレッサーＲに連結されたリンクロッド４、歯車輪５、結合ジャッキ６が、調整装置の駆動手段を構成するのに対し、検出装置と処理モジュール７は、この調整装置の制御手段を構成する。
【００３０】
本発明によると、調整装置の検出装置は、第一に、光源８を、第二に照明ゾーン１１のレベルに光を与える光の案内手段１０を、第三に、照明ゾーン１１内でレドレッサーＲのいずれか一台の回転軸３に連結され、レドレッサー５の角度位置を表す光信号を生成するための照明光と相互作用するエンコーダエレメント１２を、そして第四に、光信号を処理モジュール７に印加するために光信号を収集する手段１３を有する。
【００３１】
好ましくは、光源８は、処理モジュール７もまた収納するボックス９内に遠隔設置される。さらに、光の案内手段１０は、好ましくは、１本または複数の光ファイバの形で製作される。
【００３２】
使用される検出形態によって、エンコーダエレメント１２の少なくとも一部、光ファイバ１０の下流端と収集手段１３の少なくとも一部は、光を遮断するシールド１４内に収納されることが好ましい。このようにして、光学的測定は、漏光によっても、ターボジェットエンジン内に存在する万一のほこりや、特に脂っぽい残留物によって妨害されない。
【００３３】
図３により明確に示されているように、好ましくは、エンコーダエレメント１２は、エンコーダホイール、より好ましくはエンコーダホイールの一部分の形をとる。エンコーダホイールの一部分は、照明ゾーン１１における位置に応じて、したがって、それが軸３に連結されたレドレッサーＲの角度位置に応じて、可変型の光信号の生成を可能にするように構成された少なくとも１つのレンジ１５を有する。
【００３４】
検出は、反射によってもしくは透過によって行うことができる。
【００３５】
反射による検出に順応した実施形態が図４に示されている。ここでは、エンコーダホイール１２の一部分のレンジ１５は、反射した光の光度が、その角度位置に応じて変化するように、寸法及び／模様が異なる複数の反射エレメント１６を有する。三次元タイプのこれらの反射エレメント１６は、選択的堆積またはエッチング、あるいはまた写真平版や他のなんらかの従来の技術によって製作することができる。
【００３６】
照明光は、供給用光ファイバ１０の下流端によって照明ゾーン１１のレベルに供給され、次に、反射エレメント１６によって反射し、さらに、１本または複数の収集用光ファイバ１３ａの上流端によって集められる。こうして、この（これらの）収集用光ファイバは、たとえば処理モジュール７の光電変換器を用いて、光度測定の対象となるボックス９のレベルに、反射及び収集された光（すなわち反射された光信号）を輸送する。このとき、処理モジュール７は、測定された光度を角度位置の測定値に変換することができるように構成される。このモジュールはたとえば、そのために、メモリの中に、光度と角度位置との対応表を備えることができる。変形形態として、測定された光度に応じた位置を計算するためのプログラムまたは回路を有することができる。
【００３７】
角度位置がいったん測定されると、処理モジュール７は、ターボジェットエンジンが選択された性能を示すことができるように、その位置と、それが制御する段のレドレッサーＲがとらなければならない最適な角度位置とを比較することができる。最適な角度位置は、外部からの命令に応じて、処理モジュール７によって決定することができる、もしくは、外部制御モジュールによって処理モジュール７に与えられる。
【００３８】
その比較が、レドレッサーが再調整されなければならないことを示している場合には、処理モジュール７は、それが、結果的にそのストロークを変更させることができるように、ジャッキ６に透過する角度位置の新しいデータを決定する。
【００３９】
概略的に示されているように、供給用光ファイバ１０の下流端は、照明ゾーン１１の選択された寸法の面積を照らし出すことができるように、適合させることができ、収集用光ファイバの上流端１３ａは、選択された寸法の面積で反射した光を収集することができるように適合させることができる。しかし、変形形態または補足形態として、たとえば、レンズまたは集光レンズのように、光ファイバの１０、１３ａの先端と、レンジ１５との間に、光学整形手段を備えることもできる。
【００４０】
レンジ１５内の反射エレメントを使用する代わりに、このレンジは、たとえば一方の先端から他方の先端へ段階的に変化可能な反射率を有するように処理することができる。一般に、レンジ１５に可変反射率を与えるあらゆる反射手段を考えることができる。
【００４１】
さらに、１本または数本の収集用光ファイバ１３ａを使用する代わりに、たとえばＣＣＤ（Ｃｏｕｐｌｉｎｇ  Ｃｈａｒｇｅ  Ｄｅｖｉｃｅ、電荷結合デバイス）タイプの光検出器を使用することができるだろう。
【００４２】
図５から１０に透過による検出に合致した実施形態が示されている。
【００４３】
図５に示された実施形態においては、エンコーダホイール１２の一部分のレンジ１５は、エンコーダエレメントの角度位置による可変照明光量を通すことができるように、少なくとも１つの適合した開口部またはスリット１７を有する。そのため、スリット１７は、図７に示されているように、段階的開放型である。
【００４４】
しかし、図８に示されているように、レンジ１５は、互いに可変ピッチ分の間隔をあけた、及び／または、変化可能な形状を有する複数のスリット１８を有することができるだろう。他の実施形態もまた考えることができる。
【００４５】
スリット１７または１８からレンジ１５を貫通した光を収集するために、二つの解決策を考えることができる。
【００４６】
図５に示された第一の解決策は、エンコーダホイール１２の一部の下に、光電変換モジュール１３ｂ（または光子を測定可能な物理量に変換することができる他のなんらかの手段）を取り付けることからなる。したがって、この変換モジュール１３ｂは、光子の収集と変換を直接的に行い、たとえば、固定用脚部１９を用いてシールド１４に連結される。変換の結果は、角度位置の新しいデータの作成に役立つように、ケーブル２０によって、処理モジュール７に透過される。
【００４７】
図６に示された第二の解決策は、エンコーダホイール１２の一部の下に、図４を参照して先に説明したタイプの１本または複数の収集用光ファイバ１３ａを取り付けることからなる。したがって、スリット１７または１８（図７及び８に示された）によってレンジ１５を通過した光（または収集された光信号）は、たとえば、処理モジュール７の光電変換器を用いて、それらが光度測定の対象となるようなボックス９のレベルで光を輸送する収集用光ファイバ１３ａの上流端によって収集される。このとき、処理モジュール７は、測定された光度を角度位置の測定値に変換させるように構成される。こうして、変換結果は、角度位置の新しいデータの作成に役立つ。
【００４８】
図５に示された例におけるように、レンジ１５のレベルで形成されるスリット１７または１８は、エンコーダホイール１２の一部分の位置に応じて収集された光度を変化させることができる以上、あらゆるタイプの形状及びあらゆるタイプの間隔を有することができる。
【００４９】
さらに、先に示したように、供給用光ファイバ１０の下流端及び収集用光ファイバ１３ａの上流端は、選択された寸法の面積に、照明光または反射した光を与えるまたは収集することができるように合致させることができる。しかし、変形形態または補足形態においてはまた、たとえばレンズまたは集光レンズのように光ファイバの先端１０、１３ａとレンジ１５との間に、光学的整形手段を備えることができる。
【００５０】
スリット１７または１８を通して照明光を透過する代わりに、マーキング（またはマーク）を備えているいないにかかわらず、可変反射率を有する材料を通して照明光を透過することができる。
【００５１】
たとえば、エンコーダホイール１２の一部分のレンジ１５は、可変透過率を有する透明な材料で製作することができる。そのため、レンジ１５は、一方の先端から他方の先端へと増大する透過率を有するように処理することができる。単なる例としては、可変厚を有するガラスタイプの材料を、特定の傾きに応じた一塊りで着色することができる。その場合、先に説明したように、収集は、収集用の１本または複数の光ファイバ１３ａを用いて、もしくは、光電変換モジュール１３ｂを用いて行うことができる。
【００５２】
図９に示された変形形態において、局所的な反射手段として（その場合には、隣接するマーキング間に置かれた材料は透明である）、もしくは、局所的な透過手段として（その場合には、隣接するマーキング間に置かれた材料は吸収剤である）振舞うマーキング（またはマーク）２１をレンジ１５のレベルで形成することができる。これらのマーキングは、サンドブラスト、レーザ加工、またはケミカル・エッチング、あるいはまた従来の他のなんらかのマーキング技術によって製作することができる。マーキング２１は、可変形状を有することができる、及び／または互いに、可変ピッチ分間隔をあけることができる。
【００５３】
ここに図示されているように、収集は、エンコーダホイール１２の一部分の下に置かれた光電変換モジュール１３ｂ（または光子を測定可能な物理量に変換することができる他のなんらかの手段）を用いて行うことができる。この変換モジュール１３ｂは、したがって、ここでは光子の収集と変換を直接行い、たとえば固定脚部１９を用いて、シールド１４に連結される。変換の結果は、角度位置の新しいデータの作成に役立つように、処理モジュール７にケーブル２０によって透過される。
【００５４】
しかし、先の実施形態におけるように、場合によっては、光学整形手段に組み合わされた、１本または複数の光ファイバ１３ａによって透過光を収集することができるだろう。
【００５５】
図１０に示されている他の変形形態においては、レンジ１５のレベルで、広いピッチ（すなわち、光の波長よりはるかに長いピッチ）の目盛りつきの網目を構成するマーキング（またはマーク）２１が形成され、エンコーダホイール１２の一部分の上流で、スキャニングレチクル２４をともなう固定用脚部２３によってシールド１４に連結され、さらに、固定用脚部２５によってシールド１４に連結され、狭いピッチの目盛りつき網目２６を画定する、集光レンズ２２が備えられる。スキャニングレチクル２４によって回析された照明光が、広いピッチの網目２１とぶつかると、回析された構成要素は実際に一致し、その結果、コードホイール１２の下流では、目盛りつきの構造２１の一種の「光の投影」が得られる。
【００５６】
スキャニングレチクル２３に対するエンコーダホイール１２の部分のなんらかの移動は、前記エンコーダホイール１２の前記部分の下に置かれた、マルチエレメントタイプの、光電変換モジュール１３ｂによって検出することができる、光／影の変調を引き起こす。こうした変換モジュール１３ｂは、したがって、ここでは光子の収集及び変換を直接行い、たとえば、固定用脚部１９を用いて、シールド１４に連結される。変換結果は、角度位置の新しいデータ作成に役立つように、処理モジュール７にケーブル２０によって伝達される。
【００５７】
反射における作動の場合には近接タイプの検出もまた考えられる。その場合、照明光とエンコーダホイール１２の一部分との間に置かれた透明相の網目を確定するスキャニングレチクルを備え、エンコーダホイールのレンジ１５は、Ｄｉａｄｕｒ（登録商標）タイプの相の網目と、照明ゾーン１１の反対側で、レンジ１５に向かい合って取り付けられ、照明光とスキャニングレチクルとマーキングとの間の相互作用の結果生じる光信号を表す電気信号を印加する、マルチエレメントタイプの光電変換モジュール１３ｂを有する。「回析及び干渉型」と呼ばれるこのタイプの検出器はまた、Ｈｅｉｄｅｎｈａｉｎ社によって市販されている。
【００５８】
上述の実施形態において、角度位置の測定は絶対型、もしくは相対型とすることができる。相対測定の場合、エンコーダホイール１２上とさらに場合によってはスキャニングレチクル２４上に絶対的基準値を備えることができ、ゼロの測定は、好ましくは、ターボジェットエンジンが止まるたびに行われる。
【００５９】
本発明は、単に例示的なものとして上述した調整装置の実施形態に限定されるわけではなく、以下の特許請求の範囲の枠組みにおいて当業者が考えつくことができるあらゆる変形形態を含むものとする。
【図面の簡単な説明】
【００６０】
【図１】ターボジェットエンジンの高圧コンプレッサの概略中央横断面図である。
【図２】本発明による調整装置の実施形態を示す概略側面図である。
【図３】図２の調整装置のエンコーダホイールの取り付けを示す概略上面図である。
【図４】調整装置の検出手段の第一の実施形態を示す、図２のIV−IVに沿った概略横断面図である。
【図５】調整装置の検出手段の第二の実施形態を示す概略横断面図である。
【図６】調整装置の検出手段の第三の実施形態を示す概略横断面図である。
【図７】図５及び６の検出手段において使用できるエンコーダホイールを示す概略上面図である。
【図８】図５及び６の検出手段において使用できる他のエンコーダホイールを示す概略上面図である。
【図９】調整装置の検出手段の第四の実施形態を示す概略横断面図である。
【図１０】調整装置の検出手段の第五の実施形態を示す概略横断面図である。
【符号の説明】
【００６１】
１  チャンバ
２  カバー
３  レドレッサーの軸
４  リンクロッド
５  羽根輪
６  ジャッキ
７  処理手段
８  光源
９  ボックス
１０  照明手段、光ファイバ
１１  照明ゾーン
１２  エンコーダエレメント
１３  収集手段
１４  シールド
１５  レンジ
１６  反射エレメント
１７、１８  スリット
１９  固定用脚部
２０  ケーブル
２１  マーキング
２２  集光レンズ
２３  固定用脚部
２４  スキャニングレチクル
２５  固定用脚部
２６  目盛りつき網目
【図１】
2005054794.tif 000003
【図２】
2005054794.tif 000004
【図３】
2005054794.tif 000005
【図４】
2005054794.tif 000006
【図５】
2005054794.tif 000007
【図６】
2005054794.tif 000008
【図７】
2005054794.tif 000009
【図８】
2005054794.tif 000010
【図９】
2005054794.tif 000011
【図１０】
2005054794.tif 000012